(57)【特許請求の範囲】
【請求項１】
陰極線管を有する画像表示装置において、
前記陰極線管に表示する画像のサイズに応じて、前記陰極線管の偏向ヨークに印加される電源電圧を制御する制御手段と、
前記偏向ヨークの一端に発生する電圧が基準電圧より高くなるとき比較信号を出力する比較手段と、
該比較手段から出力される比較信号及び水平同期信号に応じて帰線時間制御パルスを生成する帰線時間制御パルス発生手段と、
前記帰線時間制御パルスによりオンオフ制御され、一端がアースに接続されたスイッチ手段と、
該スイッチ手段の他端と、前記偏向ヨークの一端との間に接続されたコンデンサとを備え、
前記帰線時間制御パルス発生手段は、前記比較信号のレベルが大きくなるほど、帰線時間制御パルスの幅を大きくすることを特徴とする画像表示装置。
【発明の詳細な説明】
【０００１】
【発明の属する技術分野】
本発明は、陰極線管（ＣＲＴ）を有する画像表示装置に関し、特に画像表示装置の水平偏向回路の改良に関する。
【０００２】
【従来の技術】
図６は、従来の一般的な水平偏向回路の構成を示す回路図である。この水平偏向回路は、水平ドライブ信号を生成する水平ドライブ回路１０１と、偏向ヨーク１０２と、フライバックトランス１０３と、可変電源回路１０４と、水平出力トランジススタＱ１０１と、共振コンデンサＣ１０１と、Ｓ字補正コンデンサＣ１０２と、ダンパダイオードＤ１０１とを備えている。
この水平偏向回路では、可変電源回路１０４の出力電圧Ｅを上げることにより、ＣＲＴに表示する画像が拡大される。
【０００３】
【発明が解決しようとする課題】
ＣＲＴのアスペクト比は、最近１６：９のものが増えているため、映像チェックのための業務用モニタなどでは、アスペクト比１６：９の画像をサイドカットし、アスペクト比４：３の画像として、ＣＲＴの画面いっぱいに表示する仕様が要求される。
【０００４】
そこで画像サイズを拡大するために、可変電源回路１０４の出力電圧Ｅを上げると、水平方向に３０％以上のオーバスキャンとなり、偏向ヨーク１０２を流れる偏向電流ＩＤは、出力電圧Ｅに比例して増加する。このため、偏向ヨーク１０２としては定格電流値の大きなもの使うの必要が生じる。さらに水平出力トランジスタＱ１０１のコレクタ電圧も電源電圧Ｅに比例して高くなるため、トランジスタＱ１０１は、耐圧の大きなものを使う必要がある。その結果、部品コストが上昇するという問題がある。
【０００５】
本発明はこの点に着目してなされたものであり、ＣＲＴに表示する画像を拡大する場合でも、不要な電流あるいは電圧の増加をなくし、コスト上昇を抑制することができる画像表示装置を提供することを目的とする。
【０００６】
【課題を解決するための手段】
上記目的を達成するため請求項１に記載の発明は、陰極線管を有する画像表示装置において、前記陰極線管に表示する画像のサイズに応じて、前記陰極線管の偏向ヨークに印加される電源電圧を制御する制御手段と、前記偏向ヨークの一端に発生する電圧が基準電圧より高くなるとき比較信号を出力する比較手段と、該比較手段から出力される比較信号及び水平同期信号に応じて帰線時間制御パルスを生成する帰線時間制御パルス発生手段と、前記帰線時間制御パルスによりオンオフ制御され、一端がアースに接続されたスイッチ手段と、該スイッチ手段の他端と、前記偏向ヨークの一端との間に接続されたコンデンサとを備え、前記帰線時間制御パルス発生手段は、前記比較信号のレベルが大きくなるほど、帰線時間制御パルスの幅を大きくすることを特徴とする。
【０００７】
【発明の実施の形態】
以下本発明の実施の形態を図面を参照して説明する。
（第１の実施形態）
図１は本発明の第１の実施形態にかかる画像表示装置の水平偏向回路の構成を示す回路図である。この水平偏向回路は、水平ドライブ信号を生成する水平ドライブ回路１と、電子ビームを偏向させる磁界を発生させる偏向ヨーク２と、ＣＲＴの陽極に供給する高圧を生成するためのパルスを出力するフライバックトランス３と、ＣＲＴの画面に表示する画像サイズを制御するサイズ制御マイクロコンピュータ（以下「サイズ制御マイコン」という）５と、サイズ制御マイコン５により出力電圧が制御される可変電源４と、水平出力トランジスタＱ１と、サイズ制御マイコン５によってオンオフ制御され、共振容量を切り換える共振容量切換トランジスタＱ２，Ｑ３と、共振コンデンサＣ１と、ダンパダイオードＤ１と、Ｓ字補正コンデンサＣ２と、制御用共振コンデンサＣ３，Ｃ４とを備えている。
【０００８】
水平出力トランジスタＱ１がオフするときに、このトランジスタＱ１のコレクタに半正弦波状のパルスが生成される。このパルスの幅Ｔは、トランジスタＱ２及びＱ３がオフ状態のときは、共振コンデンサＣ１で決まる幅となる。トランジスタＱ２のみがオンすると、パルス幅Ｔは増加し、さらにトランジスタＱ３もオンすると、パルス幅Ｔはさらに増加する。
【０００９】
画像サイズを拡大する指示がユーザによりなされると、サイズ制御マイコン５は、その拡大率に応じて可変電源４の出力電圧Ｖccを増加させるとともに、トランジスタＱ２のみ、あるいはトランジスタＱ２及びＱ３をオンさせる信号を出力する。可変電源４の出力電圧Ｖccが通常電圧であるときは、偏向電流ＩＤと、画面サイズとの関係は、図２に直線Ｌ１で示すようになっている。画像を拡大するために可変電源４の出力電圧Ｖccを増加させると、同図に直線Ｌ２で示すようになり、ＣＲＴサイズを超える範囲に対応した不要電流が流れる。
【００１０】
そこで本実施形態では、このように電源電圧Ｖccを増加させることに対応して、トランジスタＱ２のみ、あるいはトランジスタＱ２及びＱ３をオンさせて、共振周波数を低下させ、帰線時間を長くするようにした。図３は、画像サイズを３０％拡大する例を示したものであり、帰線時間を長くすることにより、ラスタがＣＲＴサイズを超えたところで折り返すように、コンデンサＣ２，Ｃ３の容量が設定される。
【００１１】
本実施形態では、画像サイズの拡大指示がなされたときは、その拡大率に応じて可変電源４の出力電圧Ｖccを増加させるとともに、トランジスタＱ２のみ、あるいはトランジスタＱ２及びＱ３をオンさせて、帰線時間を長くするようにしたので、不要電流が流れることがない。したがって、最大定格の大きな部品を使用する必要がなくなり、コスト上昇を抑制することができる。
【００１２】
（第２の実施形態）
図４は本発明の第２の実施形態にかかる水平偏向回路の構成を示す回路図である。この回路は、第１の実施形態と同様に、水平ドライブ回路１と、偏向ヨーク２と、フライバックトランス３と、可変電源４と、サイズ制御マイコン５と、水平出力トランジスタＱ１と、共振容量を切り換える共振容量切換トランジスタＱ２と、共振コンデンサＣ１と、ダンパダイオードＤ１と、Ｓ字補正コンデンサＣ２と、制御用共振コンデンサＣ３とを備え、さらに抵抗Ｒ１，Ｒ２と、コンデンサＣ５と、基準電圧ｅを出力する基準電源１１と、比較器１２と、帰線時間制御パルス発生器１３とを備えている。
【００１３】
水平出力トランジスタＱ１のコレクタが接続されたＢ点の電圧Ｖp-pが抵抗Ｒ１及びＲ２により分割されて、比較器１２の非反転入力に入力される。比較器１２の出力は、非反転入力の入力電圧が基準電圧ｅより高いとき、高レベルとなり、非反転入力の入力電圧が基準電圧ｅより低いとき、低レベルとなる。
【００１４】
帰線時間制御パルス発生器１３は、水平同期信号及び比較器１２の出力信号に応じて帰線時間制御パルスを生成し、トランジスタＱ２のベースに供給する。図５（ａ）は、水平出力トランジスタＱ１がオフしたときの電圧波形を示し、同図（ｂ）は、帰線時間制御パルス波形を示す。また同図（ａ）のおいて、実線はトランジスタＱ２がオフしたときの波形を示し、破線はトランジスタＱ３がオンしたときの波形を示す。
【００１５】
図４のＢ点の電圧Ｖp-pは、下記式（１）で表される。
Ｖp-p＝（π／２）×Ｖcc×（Ｔs／Ｔr）          （１）
ここで、Ｔsは走査時間、Ｔrは帰線時間、Ｖccは電源電圧である。
式（１）より、下記式（２）が得られ、Ｂ点の電圧Ｖp-pを変更することにより、帰線時間Ｔrが制御可能であることがわかる。
Ｔr＝（Ｖcc×Ｔh×π）／（２Ｖp-p＋πＶcc）    （２）
ここで、Ｔhは全水平期間（Ｔs＋Ｔr）である。
【００１６】
本実施形態では、式（２）の関係に着目し、以下に説明するように帰線時間Ｔrの制御を行う。
Ａ点の帰線時間制御パルスは、図５（ｂ）に示すように、水平出力トランジスタＱ１がオフする期間において高レベルとなるパルスであり、その幅ＴＡは、比較器１２の出力が低レベルのときより、高レベルのときのほうが大きくなるように設定される。したがって、Ｂ点電圧Ｖp-pが高くなると、帰線時間制御パルスの幅ＴＡが増加し、トランジスタＱ２がオンしている時間が増加し、Ｂ点電圧Ｖp-pを低下させるように作用する。その結果、Ｂ点電圧Ｖp-pが一定となるように帰線時間制御パルスの幅ＴＡが制御され、そのパルス幅ＴＡが増加するほど、帰線時間が長くなる。
【００１７】
サイズ制御マイコン５は、ユーザの指示にしたがって、画像の拡大率に応じて電源電圧Ｖccを増加させ、トランジスタＱ２は、帰線時間制御パルスにより、Ｂ点電圧Ｖp-pに応じてオン時間が制御される。電源電圧Ｖccが増加すると、Ｂ点電圧Ｖp-pも増加するので、帰線時間は電源電圧Ｖccに応じた最適の値に制御される。
【００１８】
以上のように本実施形態では、偏向ヨーク２の一端（Ｂ点）に発生する電圧が、基準電圧ｅと抵抗Ｒ１及びＲ２の比率できまる閾値より高くなるとき高レベルとなる信号を出力する比較器１２と、該比較器１２から出力される信号レベル及び水平同期信号に応じて帰線時間制御パルスを生成する帰線時間制御パルス発生器１３とを設け、トランジスタＱ２を帰線時間制御パルスによりオンオフ制御するように構成し、帰線時間制御パルスの幅を、比較器１２から出力される信号レベルが高くなるほどを大きくなるように制御するようにした。したがって、電源電圧Ｖccが増加したときには、帰線時間制御パルスの幅が増加し、帰線時間が電源電圧Ｖccに応じた最適値となるように制御される。その結果、不要電流が流れることが防止され、最大定格の大きな部品を使用する必要がなくなり、コスト上昇を抑制することができる。
【００１９】
【発明の効果】
以上詳述したように本発明によれば、陰極線管に表示する画像のサイズに応じて、陰極線管の偏向ヨークに印加される電源電圧を制御する制御手段と、前記偏向ヨークの一端に発生する電圧が基準電圧より高くなるとき比較信号を出力する比較手段と、該比較手段から出力される比較信号及び水平同期信号に応じて帰線時間制御パルスを生成する帰線時間制御パルス発生手段と、前記帰線時間制御パルスによりオンオフ制御され、一端がアースに接続されたスイッチ手段と、該スイッチ手段の他端と、前記偏向ヨークの一端との間に接続されたコンデンサとを備えた画像表示装置が提供され、前記帰線時間制御パルス発生手段により、前記比較信号のレベルが大きくなるほど、帰線時間制御パルスの幅を増加させるように制御される。したがって、電源電圧の増加に伴って、比較手段から出力される比較信号のレベルが増加し、帰線時間制御パルス幅が増加する。その結果、スイッチ手段がオンする時間が長くなって、前記偏向ヨークの一端に発生する半正弦波状電圧を低下させるように作用する。すなわち、画像サイズを拡大するために、電源電圧を増加させたときには、帰線時間制御パルスの幅が増加し、帰線時間が電源電圧に応じた最適値となるように制御される。その結果、不要電流が流れることが防止され、最大定格の大きな部品を使用する必要がなくなり、コスト上昇を抑制することができる。
【図面の簡単な説明】
【図１】本発明の第１の実施形態にかかる画像表示装置の水平偏向回路の構成を示す回路図である。
【図２】画像サイズと偏向電流の関係を説明するための図である。
【図３】画像サイズを拡大表示する例を示す図である。
【図４】本発明の第２の実施形態にかかる画像表示装置の水平偏向回路の構成を示す回路図である。
【図５】図４に示す回路の動作を説明するための図である。
【図６】従来の水平偏向回路の構成を示す図である。
【符号の説明】
１  水平ドライブ回路
２  偏向ヨーク
４  可変電源
５  サイズ制御マイクロコンピュータ（制御手段）
１２  比較器（比較手段）
１３  帰線時間制御パルス発生器（帰線時間制御パルス発生手段）
Ｑ１  水平出力トランジスタ
Ｑ２  共振容量切換トランジスタ（スイッチ手段）
Ｃ１  共振コンデンサ
Ｃ３  制御用共振コンデンサ
【図１】
0003835349.tif 000002
【図２】
0003835349.tif 000003
【図３】
0003835349.tif 000004
【図４】
0003835349.tif 000005
【図５】
0003835349.tif 000006
【図６】
0003835349.tif 000007